(57)【特許請求の範囲】
【請求項１】
通紙可能とする用紙の紙厚より広い間隔で対向した用紙ガイドを有した用紙搬送部と、
前記用紙搬送部を搬送される用紙の主走査方向の端部の位置を検知する主走査方向位置検知センサと、
前記用紙搬送部を搬送される用紙を、前記主走査方向位置検知センサの検知位置で紙厚方向のどちらか一方の前記用紙ガイドに押し付ける風を吹き出すと共に、用紙を前記用紙ガイドに押し付ける風の風量を切り替える風量調節手段を有した送風機構と、
前記用紙搬送部を搬送される用紙の種別情報に応じて、前記送風機構で吹き出される風の風量及び風の吹き出しの有無を切り替え、前記送風機構による送風で用紙を前記用紙ガイドに押し付けた状態で、前記主走査方向位置検知センサにより用紙の主走査方向の端部の位置を検知する制御部とを備えた
ことを特徴とする画像形成装置。
【請求項２】
用紙の種別情報を指定する情報入力部を備え、前記制御部は、前記情報入力部で指定された用紙の種別情報に応じて、風量切り替えの動作が設定されることを特徴とする請求項１記載の画像形成装置。
【請求項３】
前記制御部は、前記情報入力部で指定された用紙の種別情報に応じて、前記送風機構から吹き出される風の風量を、坪量の小さい用紙よりも坪量の大きい用紙で強くする動作モードが設定されることを特徴とする請求項２記載の画像形成装置。
【請求項４】
前記制御部は、前記情報入力部で指定された用紙の種別情報に応じて、前記主走査方向位置検知センサでの検知タイミングに合わせて前記送風機構から風を吹き出し、前記主走査方向位置検知センサでの検知タイミング以外で風の吹き出しを停止する動作モードが設定されることを特徴とする請求項２または３記載の画像形成装置。
【請求項５】
前記制御部は、前記情報入力部で指定された用紙の種別情報に応じて、１枚または複数枚の用紙の搬送動作中は、前記送風機構から常時風を吹き出す運転モードが設定されることを特徴とする請求項２または３記載の画像形成装置。
【請求項６】
前記制御部は、前記情報入力部で指定された用紙の種別情報に応じて、１枚または複数枚の用紙の搬送動作中は、前記送風機構から第１の風量で風を吹き出し、前記主走査方向位置検知センサでの検知タイミングに合わせて、第１の風量よりも強い第２の風量で風を吹き出す運転モードが設定されることを特徴とする請求項５記載の画像形成装置。
【発明の詳細な説明】
【技術分野】
【０００１】
本発明は、画像形成位置を用紙の端部位置に応じて決定する画像形成装置に関し、特に、送風で用紙のカールを押さえられるようしたものである。
【背景技術】
【０００２】
従来から、搬送される用紙の側端部の位置を検知する主走査方向位置検知手段を備え、画像形成部に送られる前の搬送途中の用紙の端部位置に応じて画像書き出し位置を変更することで、用紙上の主走査方向の画像位置を補正する技術が提案されている（例えば、特許文献１参照）。主走査方向位置検知手段としては、ラインセンサを使用する技術が提案されている（例えば、特許文献２参照）。
【０００３】
図１５は、画像形成装置の概要を示す平面図である。画像形成装置５００は、画像形成部を構成する感光ドラム５０１と、用紙Ｐを搬送するレジストローラ５０２と、レジストローラ５０２で搬送される用紙Ｐの先端を検知する先端検知センサ５０３ａと、用紙Ｐの主走査方向の通過位置である側端部を検知する主走査方向位置検知センサ５０３ｂを備える。
【０００４】
画像形成装置５００は、用紙Ｐの先端が先端検知センサ５０３ａで検知されると、用紙Ｐの主走査方向の通過位置が主走査方向位置検知センサ５０３ｂで検知され、用紙Ｐの主走査方向の通過位置、すなわち、用紙Ｐの側端部が搬送路中のどこに位置するかを実測した結果に応じて、画像の書き出し位置が決められる。
【０００５】
さて、搬送されるフィルムに風を当てることにより、フィルムの反りを押さえて安定して露光する技術が提案されている（例えば、特許文献３参照）。
【０００６】
【特許文献１】特許第２５５０５５８号公報
【特許文献２】特開２０００−３３５０１０号公報
【特許文献３】特開２００２−１９６５００公報
【発明の開示】
【発明が解決しようとする課題】
【０００７】
図１６は、従来の課題を示す説明図であり、図１５に示す画像形成装置５００において、主走査方向位置検知センサ５０３ｂの検知位置を、用紙Ｐの搬送方向の正面から見た図である。
【０００８】
画像形成装置５００において、主走査方向位置検知センサ５０３ｂでの端部位置検出は、用紙Ｐの搬送動作中に行われる。このため、主走査方向位置検知センサ５０３ｂでの検知位置では、通常、数ｍｍ程度の間隔を有して対向した用紙ガイド板５０４が設置される。
【０００９】
用紙ガイド板５０４と主走査方向位置検知センサ５０３ｂの間隔は、用紙Ｐの紙厚より広いため、用紙Ｐがカールしていると、用紙Ｐの側端部が反る等の撓みが発生する。用紙Ｐがカールしていると、主走査方向位置検知センサ５０３ｂで検知される用紙Ｐの端部位置が、カールが無い場合と比較してＬだけずれてしまい、端部位置が誤検知される。
【００１０】
両面印刷を行う機能を有した画像形成装置では、表面の印刷時には用紙に熱が加えられておらず、カールが発生しないので、用紙の端部位置は正確に検知される。これに対して、裏面の印刷時には、表面への画像形成時に定着動作等で用紙に熱が加えられているので、用紙にカールが発生し、端部位置が誤検知される。これにより、用紙の表面と裏面で、画像形成の位置ずれが顕著に表れる。
【００１１】
用紙のカールを押さえるために、ガイド板間の隙間を狭くして対応するには、ガイド板の剛性と精度向上が必要で、コストの増大だけでなく、厚紙での通紙不良の発生を招く。また、ＰＥＴのような弾性体で用紙をガイド板に押さえ込むようにすると、例えば紙粉等の発生が増大する。主走査方向位置検知センサは、光学式のセンサであるので、紙粉等による誤検知が頻発してしまう。
【００１２】
送風により用紙のカールを押さえる場合、複写機や印刷機では様々な紙種の用紙に対応することが求められているが、用紙の種類や坪量により剛性が異なるため、均一な風を当てると、例えば、坪量の小さい用紙は風による摩擦力増加で搬送不良を起こし、坪量の大きい用紙は十分にカールの押さえ込みができないという不具合がある。
【００１３】
本発明は、このような課題を解決するためになされたもので、用紙の種別によらず確実にカールを押さえると共に搬送不良の発生を防ぎ、用紙端部位置の誤検出を防ぐことができる画像形成装置を提供することを目的とする。
【課題を解決するための手段】
【００１４】
上述した課題を解決するため、請求項１に記載の発明は、通紙可能とする用紙の紙厚より広い間隔で対向した用紙ガイドを有した用紙搬送部と、用紙搬送部を搬送される用紙の主走査方向の端部の位置を検知する主走査方向位置検知センサと、用紙搬送部を搬送される用紙を、主走査方向位置検知センサの検知位置で紙厚方向のどちらか一方の用紙ガイドに押し付ける風を吹き出すと共に、用紙を用紙ガイドに押し付ける風の風量を切り替える風量調節手段を有した送風機構と、用紙搬送部を搬送される用紙の種別情報に応じて、送風機構で吹き出される風の風量及び風の吹き出しの有無を切り替え、送風機構による送風で用紙を用紙ガイドに押し付けた状態で、主走査方向位置検知センサにより用紙の主走査方向の端部の位置を検知する制御部とを備えた画像形成装置である。
【００１５】
本発明の画像形成装置では、用紙搬送部を搬送される用紙に送風機構で風を吹きつけながら、用紙の主走査方向の端部位置が主走査方向位置検知センサで検知され、画像の書き出し位置が、用紙の主走査方向の端部位置に基づいて決定される。画像形成装置では、画像形成される用紙の種類や坪量等に応じて、送風機構から吹き出される風の風量及び風の吹き出しの有無が切り替えられることで、搬送不良を起こすことなく用紙のカールを確実に押さえて、用紙の主走査方向の端部位置の誤検知を防ぐ。
【００１６】
請求項２に記載の発明は、用紙の種別情報を指定する情報入力部を備え、制御部は、情報入力部で指定された用紙の種別情報に応じて、風量切り替えの動作が設定される請求項１に記載の画像形成装置である。
【００１７】
請求項３に記載の発明は、制御部は、情報入力部で指定された用紙の種別情報に応じて、送風機構から吹き出される風の風量を、坪量の小さい用紙よりも坪量の大きい用紙で強くする動作モードが設定される請求項２に記載の画像形成装置である。
【００１８】
請求項４に記載の発明は、制御部は、情報入力部で指定された用紙の種別情報に応じて、主走査方向位置検知センサでの検知タイミングに合わせて送風機構から風を吹き出し、主走査方向位置検知センサでの検知タイミング以外で風の吹き出しを停止する動作モードが設定される請求項２または３に記載の画像形成装置である。
【００１９】
請求項５に記載の発明は、制御部は、情報入力部で指定された用紙の種別情報に応じて、１枚または複数枚の用紙の搬送動作中は、送風機構から常時風を吹き出す運転モードが設定される請求項２または３に記載の画像形成装置である。
【００２０】
請求項６に記載の発明は、制御部は、情報入力部で指定された用紙の種別情報に応じて、１枚または複数枚の用紙の搬送動作中は、送風機構から第１の風量で風を吹き出し、主走査方向位置検知センサでの検知タイミングに合わせて、第１の風量よりも強い第２の風量で風を吹き出す運転モードが設定される請求項５に記載の画像形成装置である。
【発明の効果】
【００２１】
本発明の画像形成装置によれば、用紙の種類や坪量等に応じて、用紙のカールを押さえる風の風量及び風の吹き出しの有無が切り替えられることで、処理対象の用紙に最適な送風を行うことができ、用紙のカールによる主走査方向の端部位置の誤検知と、摩擦力増加による搬送不良を防ぐことができる。
【発明を実施するための最良の形態】
【００２２】
以下、図面を参照して本発明の画像形成装置の実施の形態について説明する。
【００２３】
＜本実施の形態の画像形成装置の構成例＞
図１は、本実施の形態の画像形成装置の一例を示す内部構成図、図２は、本実施の形態の画像形成装置の概要を示す斜視図、図３は、本実施の形態の画像形成装置の一例を示す用紙搬送機構の側断面図である。
【００２４】
まず、本実施の形態の画像形成装置１の概要について説明する。本実施の形態の画像形成装置１は、用紙Ｐを搬送する用紙搬送機構２と、用紙搬送機構２で搬送される用紙Ｐに風Ｗを吹き付けて、用紙Ｐのカールを押さえる送風機構３と、用紙Ｐに画像を形成する画像形成部４を備える。
【００２５】
画像形成装置１は、用紙搬送機構２で搬送される用紙Ｐに送風機構３で風Ｗを吹きつけながら、用紙Ｐの端部が先端検知センサ５ａと主走査方向位置検知センサ５ｂで検知され、画像形成部４による画像の書き出し位置が、用紙Ｐの端部位置情報に基づいて決定される。
【００２６】
画像形成装置１は、画像形成される用紙Ｐの種類等に応じて、送風機構３から吹き出される風Ｗの風量が切り替えられることで、用紙搬送機構２で搬送される用紙Ｐの搬送不良を起こすことなく、用紙Ｐのカールを確実に押さえて、用紙Ｐの端部位置の誤検知を防ぐ。
【００２７】
次に、画像形成装置１を構成する本実施の形態の用紙搬送機構２の一例について説明する。用紙搬送機構２は用紙搬送部の一例で、図３に示すように、用紙Ｐを搬送するレジストローラ２０と、レジストローラ２０で搬送される用紙Ｐをガイドするガイド部材２１を備える。
【００２８】
ガイド部材２１は、用紙ガイドを構成するガイド板２１ａとガイド板２１ｂが対向配置され、ガイド板２１ａとガイド板２１ｂの間を用紙Ｐが搬送される。ガイド部材２１は、画像形成装置１での画像形成対象として考えられる用紙Ｐの中で、紙厚が厚い用紙Ｐの厚さよりも広い所定の間隔で、ガイド板２１ａとガイド板２１ｂが対向し、厚紙を搬送する際の搬送不良の発生を防ぐ。
【００２９】
先端検知センサ５ａと主走査方向位置検知センサ５ｂは端部検知センサの一例で、用紙Ｐの搬送方向に対してレジストローラ２０の下流側に配置される。先端検知センサ５ａは、受発光素子を備えた反射型または透過型の光学式センサで、ガイド部材２１のガイド板、本例ではガイド板２１ａに検出面が露出し、用紙Ｐの搬送方向における先端部の到達の有無に応じて検知信号が出力される。すなわち、ガイド部材２１のガイド板２１ａとガイド板２１ｂの間を用紙Ｐが搬送されて、用紙Ｐの先端部が先端検知センサ５ａの検知位置に到達すると、先端検知センサ５ａの出力が、例えば「Ｌ」から「Ｈ」に変化する。
【００３０】
主走査方向位置検知センサ５ｂは、用紙Ｐの搬送方向に対して直交する主走査方向に、受発光素子が並列された反射型または透過型の光学式ラインセンサで、本例ではガイド板２１ａに検出面が露出し、ガイド板２１ａとガイド板２１ｂの間を搬送される用紙Ｐの一方の側端部の位置に応じて検知信号が出力される。
【００３１】
送風機構３は、用紙Ｐの搬送方向に対してレジストローラ２０の下流側で、主走査方向位置検知センサ５ｂに対向して、本例ではガイド板２１ｂの下側に配置される。送風機構３は、風Ｗを吹き出すファン部３０と、風量を調節するシャッタ部３１を備える。
【００３２】
ファン部３０は、後述するファンモータに回転駆動される例えば遠心ファン３０ａと、吹出口３０ｂが形成されたファンケース３０ｃを備える。ファン部３０は、主走査方向位置検知センサ５ｂに対向してガイド板２１ｂに形成された吹出開口部２１ｃに吹出口３０ｂが向けられ、遠心ファン３０ａが回転駆動されることで風Ｗが吹き出される吹出口３０ｂが、主走査方向位置検知センサ５ｂと対向する。
【００３３】
ここで、送風機構３は、ファン部３０で吹き出される風Ｗが、用紙Ｐの幅方向（主走査方向）の全体に当たる構成としても良いが、搬送途中における用紙Ｐのカールは、主に幅方向の両端部で発生するため、風Ｗが用紙Ｐの主に両端部に当てられるようにしても良い。例えば、ガイド板２１ｂにおいて、用紙Ｐの幅方向の両側に形成された少なくとも２箇所の吹出開口部２１ｃから風Ｗが吹き出されるように、ファンケース３０ｃによる風路及び吹出口３０ｂが形成される。
【００３４】
これにより、送風機構３では、主走査方向位置検知センサ５ｂによる用紙Ｐの検知位置付近に風Ｗが吹き出される。
【００３５】
シャッタ部３１は風量調節手段の一例で、吹出開口部２１ｃを開閉する第１のシャッタ３１ａと、第１のシャッタ３１ａを駆動する第１のシャッタ駆動部３１ｂを備える。また、シャッタ部３１は、吹出開口部２１ｃを開閉する第２のシャッタ３１ｃと、第２のシャッタ３１ｃを駆動する第２のシャッタ駆動部３１ｄを備える。
【００３６】
第１のシャッタ３１ａは、図３に実線で示す閉位置と二点鎖線で示す開位置との間の直線動作で吹出開口部２１ｃの開閉を行う。第１のシャッタ３１ａは、図３に実線で示す閉位置では吹出開口部２１ｃを全閉とし、図３に二点鎖線で示す開位置では吹出開口部２１ｃを全開とする。
【００３７】
第２のシャッタ３１ｃは、所望の風量が得られる大きさで風量調節開口部３１ｅが形成され、図３に実線で示す閉位置と二点鎖線で示す開位置との間の直線動作で吹出開口部２１ｃの開閉を行う。第２のシャッタ３１ｃは、図３に実線で示す閉位置では、吹出開口部２１ｃの開度を風量調節開口部３１ｅで狭くし、図３に二点鎖線で示す開位置では吹出開口部２１ｃを全開とする。
【００３８】
第１のシャッタ駆動部３１ｂは、第１のシャッタ３１ａを直線動作させるソレノイドで構成され、第２のシャッタ駆動部３１ｄは、第２のシャッタ３１ｃを直線動作させるソレノイドで構成される。これにより、第１のシャッタ３１ａと第２のシャッタ３１ｃは、独立して開閉動作が行われ、第１のシャッタ３１ａの開閉で、風Ｗの吹き出しの有無が切り替えられ、第２のシャッタ３１ｃの開閉で、風Ｗの風量が切り替えられる。
【００３９】
次に、本実施の形態の用紙搬送機構２の動作例について説明する。図４（Ａ）〜図４（Ｃ）は、本実施の形態の用紙搬送機構の動作例を示すシャッタ部の動作説明図、図５は、シャッタ部の開閉と風量の関係を示す説明図である。
【００４０】
図４（Ａ）では、第１のシャッタ駆動部３１ｂで第１のシャッタ３１ａを閉位置とすると共に、第２のシャッタ駆動部３１ｄで第２のシャッタ３１ｃを閉位置とする。第１のシャッタ３１ａを閉位置とすると、吹出開口部２１ｃが全閉となる。これにより、ファン部３０が駆動されても、風Ｗが吹出開口部２１ｃから吹き出されない。
【００４１】
図４（Ｂ）では、第１のシャッタ駆動部３１ｂで第１のシャッタ３１ａを開位置とすると共に、第２のシャッタ駆動部３１ｄで第２のシャッタ３１ｃを閉位置とする。第１のシャッタ３１ａを開位置とし、第２のシャッタ３１ｃを閉位置とすると、吹出開口部２１ｃの開度が風量調節開口部３１ｅで狭められる。これにより、ファン部３０が一定速度で駆動されると、風量を弱くした風Ｗが吹出開口部２１ｃから吹き出される。
【００４２】
図４（Ｃ）では、第１のシャッタ駆動部３１ｂで第１のシャッタ３１ａを開位置とすると共に、第２のシャッタ駆動部３１ｄで第２のシャッタ３１ｃを開位置とする。第１のシャッタ３１ａと第２のシャッタ３１ｃの両方を開位置とすると、吹出開口部２１ｃが全開となる。これにより、ファン部３０が一定速度で駆動されると、風量を強くして風Ｗが吹出開口部２１ｃから吹き出される。
【００４３】
図６は、本実施の形態の画像形成装置の効果例を示す説明図であり、図３に示す画像形成装置１の用紙搬送機構２において、主走査方向位置検知センサ５ｂの検知位置を、用紙Ｐの搬送方向の正面から見た図である。
【００４４】
送風機構３で吹出開口部２１ｃから風Ｗが吹き出されると、用紙Ｐは、本例では上側のガイド板２１ａ及び主走査方向位置検知センサ５ｂの検知面に押し付けられる。これにより、用紙Ｐが熱等の要因でカールしている場合でも、端部検知位置ではカールが押さえられる。従って、用紙Ｐの端部位置を正確に検知することができる。
【００４５】
次に、上述した用紙搬送機構２を備えた本実施の形態の画像形成装置１の全体構成について説明する。画像形成装置１は、本例ではコピー機能、プリンタ機能及びスキャナ機能等を備えたモノクロディジタル複合機で、図１に示すように、装置本体１００と自動原稿反転給紙装置２００を備える。
【００４６】
まず、装置本体１００の構成について説明すると、装置本体１００は、上述した用紙搬送機構２と、用紙搬送機構２で搬送された用紙Ｐに画像を形成する画像形成部４と、画像形成部４で用紙Ｐに形成された画像を用紙Ｐに定着させる定着部６を備える。
【００４７】
また、装置本体１００は、用紙搬送機構２に用紙Ｐを供給する本体給紙部７と、画像が形成された用紙Ｐを排紙する本体排紙部８と、用紙Ｐを表裏反転させる反転部９と、外部より用紙搬送機構２に用紙Ｐを供給する外部給紙部１０と、原稿を読み取る読取部１１を備える。
【００４８】
図３等で説明した構成を有した用紙搬送機構２は、用紙Ｐの搬送方向に対して画像形成部４の上流側に配置され、送風機構３による送風でカールが押さえられた状態で、図３等で説明した先端検知センサ５ａ及び主走査方向位置検知センサ５ｂで端部位置が検知された用紙Ｐが、送りローラ２２で画像形成部４に送られる。
【００４９】
画像形成部４は、感光ドラム４０に形成されたトナー像が用紙Ｐに転写される。感光ドラム４０は、円筒状の基材の表面に感光層が塗布され、図示しない駆動機構によって矢印方向に回転駆動される。
【００５０】
画像形成部４は、感光ドラム４０を回転させながらコロナ帯電器４１により一様に帯電させた後、露光部４２による露光が行われ、感光ドラム４０の表面に静電潜像が形成される。
【００５１】
露光部４２は、図示しないレーザから出射したビームをポリゴンミラーで反射し、感光ドラム４０の表面に照射する。ポリゴンミラーは所定回転数で回転しており、このポリゴンミラーの回転によりレーザビームの主走査が行われる。また、感光ドラム４０の回転によりレーザビームの副走査が行われる。これにより、感光ドラム４０の表面に静電潜像が形成される。感光ドラム４０に形成された静電潜像は、現像部４３により顕像化される。
【００５２】
現像部４３は、現像スリーブ４３ａと、トナーを攪拌及び供給する機構等を備え、現像スリーブ４３ａにより感光ドラム４０へトナーを供給し、感光ドラム４０上の静電潜像にトナーを付着させて、トナー像を形成する。感光ドラム４０上のトナー像は、転写帯電器４４により感光ドラム４０から用紙Ｐに転写され、トナー像が転写された用紙Ｐは、分離帯電器４５により感光ドラム４０から分離される。
【００５３】
転写帯電器４４は、感光ドラム４０に対向して配置され、トナー像を静電的に担持した感光ドラム４０に重ねられた用紙Ｐの裏側から電荷を放電することにより、用紙Ｐにトナー像を転写する。分離帯電器４５は、感光ドラム４０に吸着した用紙Ｐを除電し、用紙Ｐを感光ドラム４０から分離する。
【００５４】
用紙Ｐへ転写されず感光ドラム４０の表面に残ったトナーは、クリーニングユニット４６により回収される。クリーニングユニット４６は、感光ドラム４０に接触するブレード等を備え、感光ドラム４０の表面に付着したトナー等を掻き落として収容する。
【００５５】
画像形成部４でトナー像が形成された用紙Ｐは、定着部６に搬送される。定着部６は、ヒータが組み込まれた加熱ローラと、用紙Ｐを加熱ローラに押し付ける圧接ローラ等を有した定着器６１を備え、画像形成部４でトナー像が転写された用紙Ｐが定着器６１に送り込まれ、定着器６１で用紙Ｐに圧力と熱を加えて、トナーを用紙Ｐ上に溶着固定する。
【００５６】
本体給紙部７は、異なるサイズまたは同一のサイズの用紙Ｐが収納可能な複数の給紙カセット７０と、各給紙カセット７０から用紙Ｐを繰り出し搬送するローラ等を有した繰り出し機構７１を備え、給紙カセット７０から用紙Ｐを１枚ずつ繰り出して、用紙搬送機構２に供給する。
【００５７】
本体排紙部８は、定着部６で処理された用紙Ｐを装置本体１００の外部へ排紙する。反転部９は、用紙Ｐの搬送方向に対して、定着部６の下流側で搬送路から分岐し、搬送方向を反転させて用紙搬送機構２の上流側で合流する反転搬送路９０を備える。定着部６で処理された用紙Ｐを反転搬送路９０に送ることで、用紙Ｐは表裏反転して用紙搬送機構２から画像形成部４に送り込まれる。なお、定着部６を通過した用紙Ｐの搬送方向は、搬送切換ゲート９１により切り替えられ、用紙Ｐは動作モードに応じて本体排紙部８か反転部９へ送られる。
【００５８】
外部給紙部１０は、用紙搬送機構２の上流側で合流する搬送路を備え、図示しない外部給紙ユニット等から供給される用紙Ｐが用紙搬送機構２から画像形成部４に送り込まれる。このように、本体給紙部７から供給された用紙Ｐ、表面に画像形成されて反転部９で表裏反転された用紙Ｐ、及び外部給紙部１０から供給された用紙Ｐの何れも、用紙搬送機構２から画像形成部４に送られる搬送経路が構成され、用紙搬送機構２で端部位置が検知されて、画像形成部４による画像の書き出し位置が決定される。
【００５９】
読取部１１は、原稿を照射する光源１２と、画像を読み取るイメージセンサ１３と、光源１２から出射され、原稿で反射した光をイメージセンサ１３へ入射させる受光光学系１４等を備え、自動原稿反転給紙装置２００で供給される原稿Ｐ１上の画像を読み取り、電気信号としての画像データを出力する。
【００６０】
自動原稿反転給紙装置（ＲＡＤＦ）２００は、原稿Ｐ１が載置される原稿トレイ２０１と、読み取りが終了した原稿Ｐ１が排紙される排紙トレイ２０２と、表裏反転させる原稿Ｐ１の搬送方向を切り替える反転トレイ２０３と、原稿Ｐ１を給紙する給紙機構２０４を備える。自動原稿反転給紙装置２００は、原稿トレイ２０１に載置された原稿Ｐ１を給紙機構２０４で１枚ずつ繰り出し、読取部１１の読取位置へ供給する。
【００６１】
図７は、本実施の形態の画像形成装置の制御機能の一例を示すブロック図である。なお、図７では、画像形成装置１において用紙搬送機構２に関する制御系を示す。画像形成装置１は、図３等で説明した送風機構３を駆動するファンモータ１０２と、第１のシャッタ駆動部３１ｂと、第２のシャッタ駆動部３１ｄと、図１で説明した画像形成部４等が、制御部１０３に制御される。制御部１０３は、不揮発性メモリ１０４と情報入力部の一例である操作部１０５が接続される。
【００６２】
不揮発性メモリ１０４は、用紙Ｐの種類、例えば紙種と坪量に応じて、送風機構３で吹き出される風量が設定された風量設定テーブル１０４ａが記憶される。操作部１０５は、用紙Ｐを供給する給紙カセットの選択や、各種印刷の操作が行われる。
【００６３】
図１に示す給紙カセット７０に用紙Ｐをセットする際には、用紙Ｐの紙種や坪量等を特定する用紙情報が不揮発性メモリ１０４に記憶され、用紙Ｐを供給する給紙カセット７０が操作部１０５で選択されると、制御部１０３は、画像形成対象となる用紙Ｐの紙種及び坪量等を認識する。そして、制御部１０３は、画像形成する用紙Ｐの紙種や坪量等に応じて、不揮発性メモリ１０４の風量設定テーブル１０４ａを参照し、所定の風量で風Ｗを吹き出させる。
【００６４】
＜本実施の形態の画像形成装置の動作例＞
図８〜図１２は、本実施の形態の画像形成装置における風量切り替えの動作タイムチャート、図１３は、紙種による風量設定例を示す風量設定テーブルの説明図であり、各図を参照して、本実施の形態の画像形成装置１の動作について説明する。
【００６５】
本実施の形態の画像形成装置１は、印刷動作における機械動作開始時点ではレジストローラ２０は最初停止しており、所定のタイミングでレジストローラ２０の回転が開始される。その後、レジストローラ２０で用紙Ｐが搬送され、用紙Ｐが主走査方向位置検知センサ５ｂを通過し先端検知センサ５ａを通過する。
【００６６】
用紙Ｐが主走査方向位置検知センサ５ｂと先端検知センサ５ａを通過するときに、用紙Ｐの先端が先端検知センサ５ａに到達して検知信号が出力されると、主走査方向位置検知センサ５ｂから出力された検知信号で、搬送される用紙Ｐの端部（側端部）位置が検知される。用紙Ｐの端部位置情報は画像形成部４にフィードバックされ、画像の書き出し位置が決定されて、用紙Ｐの端部位置情報に応じて画像位置合わせが行われる。
【００６７】
画像形成装置１は、用紙Ｐの端部位置を主走査方向位置検知センサ５ｂで検知する動作では、送風機構３から紙種等に応じた風量で風Ｗを吹き出して、用紙Ｐのカールを押さえる。画像形成装置１では、画像が形成される用紙Ｐの紙種等に応じて、印刷動作中は送風機構３から連続して風Ｗを吹き出すか、主走査方向位置検知センサ５ｂでの用紙Ｐの端部位置の検知タイミングに合わせて間欠的に風Ｗを吹き出すかが切り替えられる。また、風量の強弱が切り替えられる。
【００６８】
画像形成装置１で送風機構３から吹き出される風Ｗの風量の強弱と、吹き出しの有無を切り替える動作として、図８は、第１の風量調節モードにおける動作を示す。第１の風量調節モード（１）では、印刷動作による画像形成装置１の機械動作開始から停止まで、送風機構３で風量を弱として風Ｗを吹き出す。
【００６９】
第１の風量調節モード（１）では、画像形成装置１の制御部１０３は、機械動作を開始すると、送風機構３のファンモータ１０２を駆動すると同時に、図４（Ｂ）に示すように、第１のシャッタ駆動部３１ｂを駆動して第１のシャッタ３１ａを開位置とする。このとき、第２のシャッタ駆動部３１ｄは駆動せずに、第２のシャッタ３１ｃは閉位置で保持する。
【００７０】
所定枚数の用紙Ｐの印刷が終了し機械動作を終了すると、送風機構３のファンモータ１０２の駆動を停止すると同時に、図４（Ａ）に示すように、第１のシャッタ駆動部３１ｂを駆動して第１のシャッタ３１ａを閉位置とする。
【００７１】
これにより、第１の風量調節モード（１）では、機械動作開始から停止するまでの間、風量を弱とした風Ｗが常時吹き出され、主走査方向位置検知センサ５ｂでの用紙Ｐの端部位置の検知タイミングで、用紙Ｐがガイド部材２１に弱い力で押し付けられるとともに、搬送中の用紙Ｐがガイド部材２１に常時弱い力で押し付けられる。
【００７２】
図９は、第２の風量調節モードにおける動作を示す。第２の風量調節モード（２）では、印刷動作による画像形成装置１の機械動作開始から停止まで、送風機構３で風量を強として風Ｗを吹き出す。
【００７３】
第２の風量調節モード（２）では、画像形成装置１の制御部１０３は、機械動作を開始すると、送風機構３のファンモータ１０２を駆動すると同時に、図４（Ｃ）に示すように、第１のシャッタ駆動部３１ｂを駆動して第１のシャッタ３１ａを開位置とする。また、第２のシャッタ駆動部３１ｄを駆動して第２のシャッタ３１ｃを開位置とする。
【００７４】
所定枚数の用紙Ｐの印刷が終了し機械動作を終了すると、送風機構３のファンモータ１０２の駆動を停止すると同時に、図４（Ａ）に示すように、第１のシャッタ駆動部３１ｂを駆動して第１のシャッタ３１ａを閉位置とする。また、第２のシャッタ駆動部３１ｄを駆動して第２のシャッタ３１ｃを閉位置とする。
【００７５】
これにより、第２の風量調節モード（２）では、機械動作開始から停止するまでの間、風量を強とした風Ｗが常時吹き出され、主走査方向位置検知センサ５ｂでの用紙Ｐの端部位置の検知タイミングで、用紙Ｐがガイド部材２１に強い力で押し付けられるとともに、搬送中の用紙Ｐがガイド部材２１に常時強い力で押し付けられる。
【００７６】
図１０は、第３の風量調節モードにおける動作を示す。第３の風量調節モード（３）では、印刷動作による画像形成装置１の機械動作開始時には送風機構３では送風せず、主走査方向位置検知センサ５ｂでの用紙Ｐの端部位置の検知タイミングである先端検知センサ５ａに用紙Ｐが来る直前から直後までの間は風量を弱として風Ｗを吹き出す。
【００７７】
第３の風量調節モード（３）では、画像形成装置１の制御部１０３は、機械動作を開始すると、送風機構３のファンモータ１０２を駆動する。このとき、第１のシャッタ駆動部３１ｂと第２のシャッタ駆動部３１ｄは駆動せずに、図４（Ａ）に示すように、第１のシャッタ３１ａと第２のシャッタ３１ｃは共に閉位置で保持する。
【００７８】
用紙Ｐが所定位置まで搬送されてレジストローラ２０を起動すると、図４（Ｂ）に示すように、第１のシャッタ駆動部３１ｂを駆動して第１のシャッタ３１ａを開位置とする。このとき、第２のシャッタ駆動部３１ｄは駆動せずに、第２のシャッタ３１ｃは閉位置で保持する。
【００７９】
レジストローラ２０が起動するタイミングでは、用紙Ｐの先端は先端検知センサ５ａに未だ到達しておらず、主走査方向位置検知センサ５ｂでの用紙Ｐの端部位置の検知タイミングになっていない。これにより、用紙Ｐの端部位置の検知タイミングとなる前から、風量を弱として風Ｗが吹き出される。
【００８０】
レジストローラ２０が起動して用紙Ｐが搬送されると、用紙Ｐの先端が先端検知センサ５ａに到達して、主走査方向位置検知センサ５ｂでの用紙Ｐの端部位置の検知タイミングとなる。そして、レジストローラ２０を起動して所定時間が経過すると、図４（Ａ）に示すように、第１のシャッタ駆動部３１ｂを駆動して第１のシャッタ３１ａを閉位置とする。これにより、用紙Ｐの端部位置の検知タイミングの終了後に、風Ｗの吹き出しが停止される。
【００８１】
以後、所定枚数の用紙Ｐの印刷が終了するまで、レジストローラ２０の起動と同時に第１のシャッタ３１ａを開位置とし、所定時間後に第１のシャッタ３１ａを閉位置とする制御が行われ、風量を弱とした風Ｗが、用紙Ｐの端部位置の検知タイミング合わせて間欠的に吹き出される。
【００８２】
所定枚数の用紙Ｐの印刷が終了し機械動作を終了すると、送風機構３のファンモータ１０２の駆動を停止する。
【００８３】
これにより、第３の風量調節モード（３）では、機械動作開始から停止するまでの間で、先端検知センサ５ａに用紙Ｐが来る直前から直後までの間は、風量を弱として風Ｗが吹き出され、主走査方向位置検知センサ５ｂでの用紙Ｐの端部位置の検知タイミングで、用紙Ｐがガイド部材２１に弱い力で押し付けられる。
【００８４】
図１１は、第４の風量調節モードにおける動作を示す。第４の風量調節モード（４）では、印刷動作による画像形成装置１の機械動作開始時には送風機構３では送風せず、主走査方向位置検知センサ５ｂでの用紙Ｐの端部位置の検知タイミングである先端検知センサ５ａに用紙Ｐが来る直前から直後までの間は風量を強として風Ｗを吹き出す。
【００８５】
第４の風量調節モード（４）では、画像形成装置１の制御部１０３は、機械動作を開始すると、送風機構３のファンモータ１０２を駆動する。このとき、第１のシャッタ駆動部３１ｂと第２のシャッタ駆動部３１ｄは駆動せずに、図４（Ａ）に示すように、第１のシャッタ３１ａと第２のシャッタ３１ｃは共に閉位置で保持する。
【００８６】
用紙Ｐが所定位置まで搬送されてレジストローラ２０を起動すると、図４（Ｃ）に示すように、第１のシャッタ駆動部３１ｂを駆動して第１のシャッタ３１ａを開位置とする。また、第２のシャッタ駆動部３１ｄを駆動して第２のシャッタ３１ｃを開位置とする。
【００８７】
上述したように、レジストローラ２０が起動するタイミングでは、用紙Ｐの先端は先端検知センサ５ａに未だ到達しておらず、主走査方向位置検知センサ５ｂでの用紙Ｐの端部位置の検知タイミングになっていない。これにより、用紙Ｐの端部位置の検知タイミングとなる前から、風量を強として風Ｗが吹き出される。
【００８８】
レジストローラ２０が起動して用紙Ｐが搬送されると、用紙Ｐの先端が先端検知センサ５ａに到達して、主走査方向位置検知センサ５ｂでの用紙Ｐの端部位置の検知タイミングとなる。そして、レジストローラ２０を起動して所定時間が経過すると、図４（Ａ）に示すように、第１のシャッタ駆動部３１ｂを駆動して第１のシャッタ３１ａを閉位置とする。また、第２のシャッタ駆動部３１ｄを駆動して第２のシャッタ３１ｃを閉位置とする。これにより、用紙Ｐの端部位置の検知タイミングの終了後に、風Ｗの吹き出しが停止される。
【００８９】
以後、所定枚数の用紙Ｐの印刷が終了するまで、レジストローラ２０の起動と同時に第１のシャッタ３１ａと第２のシャッタ３１ｃを開位置とし、所定時間後に第１のシャッタ３１ａと第２のシャッタ３１ｃを閉位置とする制御が行われ、風量を強とした風Ｗが、用紙Ｐの端部位置の検知タイミング合わせて間欠的に吹き出される。
【００９０】
所定枚数の用紙Ｐの印刷が終了し機械動作を終了すると、送風機構３のファンモータ１０２の駆動を停止する。
【００９１】
これにより、第４の風量調節モード（４）では、機械動作開始から停止するまでの間で、先端検知センサ５ａに用紙Ｐが来る直前から直後までの間は、風量を強として風Ｗが吹き出され、主走査方向位置検知センサ５ｂでの用紙Ｐの端部位置の検知タイミングで、用紙Ｐがガイド部材２１に強い力で押し付けられる。
【００９２】
図１２は、第５の風量調節モードにおける動作を示す。第５の風量調節モード（５）では、印刷動作による画像形成装置１の機械動作開始から停止まで、送風機構３で風量を弱として風Ｗを吹き出す。また、主走査方向位置検知センサ５ｂでの用紙Ｐの端部位置の検知タイミングである先端検知センサ５ａに用紙Ｐが来る直前から直後までの間は風量を強として風Ｗを吹き出す。
【００９３】
第５の風量調節モード（５）では、画像形成装置１の制御部１０３は、機械動作を開始すると、送風機構３のファンモータ１０２を駆動すると同時に、図４（Ｂ）に示すように、第１のシャッタ駆動部３１ｂを駆動して第１のシャッタ３１ａを開位置とする。このとき、第２のシャッタ駆動部３１ｄは駆動せずに、第２のシャッタ３１ｃは閉位置で保持する。
【００９４】
用紙Ｐが所定位置まで搬送されてレジストローラ２０を起動すると、図４（Ｃ）に示すように、第２のシャッタ駆動部３１ｄを駆動して第２のシャッタ３１ｃを開位置とする。
【００９５】
上述したように、レジストローラ２０が起動するタイミングでは、用紙Ｐの先端は先端検知センサ５ａに未だ到達しておらず、主走査方向位置検知センサ５ｂでの用紙Ｐの端部位置の検知タイミングになっていない。これにより、用紙Ｐの端部位置の検知タイミングとなる前から、風量を強として風Ｗが吹き出される。
【００９６】
レジストローラ２０が起動して用紙Ｐが搬送されると、用紙Ｐの先端が先端検知センサ５ａに到達して、主走査方向位置検知センサ５ｂでの用紙Ｐの端部位置の検知タイミングとなる。そして、レジストローラ２０を起動して所定時間が経過すると、図４（Ｂ）に示すように、第２のシャッタ駆動部３１ｄを駆動して第２のシャッタ３１ｃを閉位置とする。これにより、用紙Ｐの端部位置の検知タイミングの終了後に、風量が弱に切り替えられて、風Ｗが吹き出される。
【００９７】
以後、所定枚数の用紙Ｐの印刷が終了するまで、第１のシャッタ３１ａは開位置で保持し、レジストローラ２０の起動と同時に第２のシャッタ３１ｃを開位置とし、所定時間後に第２のシャッタ３１ｃを閉位置とする制御が行われる。すなわち、用紙Ｐの搬送中に、風量を弱とした風Ｗが連続して吹き出されると共に、用紙Ｐの端部位置の検知タイミング合わせて、風量を強とした風Ｗが間欠的に吹き出される。
【００９８】
所定枚数の用紙Ｐの印刷が終了し機械動作を終了すると、送風機構３のファンモータ１０２の駆動を停止すると同時に、図４（Ａ）に示すように、第１のシャッタ駆動部３１ｂを駆動して第１のシャッタ３１ａを閉位置とする。
【００９９】
これにより、第５の風量調節モード（５）では、機械動作開始から停止するまでの間、風量を弱とした風Ｗが常時吹き出され、搬送中の用紙Ｐがガイド部材２１に常時弱い力で押し付けられる。また、先端検知センサ５ａに用紙Ｐが来る直前から直後までの間は、風量を強として風Ｗが吹き出され、主走査方向位置検知センサ５ｂでの用紙Ｐの端部位置の検知タイミングでは、用紙Ｐがガイド部材２１に強い力で押し付けられる。
【０１００】
次に、用紙Ｐの紙種及び坪量と、風量の関係について説明する。一般的に、両面印刷モードでの裏面印刷時は、表面印刷時の定着動作等によって用紙Ｐの温度が高いため、送風機構３により少しでも風Ｗを用紙Ｐに当てて温度を低くしたり、紙粉等の汚れを少なくするため送風機構３で風Ｗを吹き続けた方が良い。
【０１０１】
また、坪量の小さい用紙Ｐは、弱い風量の風Ｗでカールを押さえることができ、風量を強くすると通紙抵抗の増大に用紙Ｐの剛性が負けて搬送不良になることがあるため、風量は弱くした方が良い。逆に、坪量の大きな紙は、風Ｗでカールを押さえるのに強い風量が必要で、用紙Ｐの剛性も大きいため風量を強くすることによる搬送不良も発生しない。中間の坪量の用紙Ｐは、搬送時は風量を弱くし端部位置検知時のみ風量を強くすることで、検知精度と良好な給送性を両立できる。
【０１０２】
一方、紙種としては、塗工紙は紙の坪量の割に剛性が無く、表面が平滑なため常に風Ｗを吹き続けると、ガイド部材２１のガイド板２１ａ，２１ｂに用紙Ｐが貼り付き、搬送不良となる可能性が高い。そのため、搬送時は風を吹き付けず、端部位置検知時のみカールを押さえるために必要な風量で風Ｗを吹き付ける方が、検知精度と良好な給送性が得られるため、坪量により風量を切り替えて、端部検知時のみ風Ｗを吹き出すようにする。
【０１０３】
図１３に示す風量設定テーブルでは、用紙Ｐの紙種が塗工紙の場合は、坪量が小さい場合、本例では１３０ｇ/ｍ２以下であると、上述した第３の風量調節モードで風Ｗを吹き出す。すなわち、機械動作開始では送風せず、端部検知のタイミングで風量を弱として風Ｗを吹き出す。
【０１０４】
用紙Ｐの紙種が塗工紙の場合で、坪量が大きい場合、本例では１３１ｇ/ｍ２以上であると、上述した第４の風量調節モードで風Ｗを吹き出す。すなわち、機械動作開始では送風せず、端部検知のタイミングで風量を強として風Ｗを吹き出す。
【０１０５】
用紙Ｐの紙種が上質紙、普通紙、書籍用紙、ラフ紙の場合は、坪量が小さい場合、本例では９１ｇ/ｍ２以下であると、上述した第１の風量調節モードで風Ｗを吹き出す。すなわち、機械動作開始から停止まで、風量を弱として風Ｗを吹き続ける。
【０１０６】
用紙Ｐの紙種が上質紙、普通紙、書籍用紙、ラフ紙の場合で、坪量が中間の場合、本例では９２ｇ/ｍ２以上で２０９ｇ/ｍ２以下であると、上述した第５の風量調節モードで風Ｗを吹き出す。すなわち、機械動作開始から停止まで、風量を弱として風Ｗを吹き続け、端部検知のタイミングで風量を強として風Ｗを吹き出す。
【０１０７】
用紙Ｐの紙種が上質紙、普通紙、書籍用紙、ラフ紙の場合で、坪量が大きい場合、本例では２１０ｇ/ｍ２以上であると、上述した第２の風量調節モードで風Ｗを吹き出す。すなわち、機械動作開始から停止まで、風量を強として風Ｗを吹き続ける。
【０１０８】
図１４は、本実施の形態の画像形成装置の動作例を示すフローチャートで、次に、各図を参照して、用紙Ｐの種別及び坪量の区分によって風量調節モードを切り替えて、端部位置検知時に用紙Ｐのカールを送風で押さえる動作について説明する。
【０１０９】
図１４のステップＳＡ１では、用紙Ｐを給紙する給紙カセット７０を操作部１０５で選択する等によって、用紙Ｐの紙種と坪量等の種別情報が入力される。なお、用紙Ｐの種別情報は、給紙カセット７０の選択とは独立した操作で、操作部１０５等から入力できるようにしても良い。
【０１１０】
図１４のステップＳＡ２では、印刷動作により画像形成装置１の機械動作を開始すると、制御部１０３は、送風機構３のファンモータ１０２を駆動する。そして、図１４のステップＳＡ３で、用紙Ｐの紙種及び坪量の区分を判断する。
【０１１１】
用紙Ｐの紙種及び坪量の区分から、第１の風量調節モードが選択される場合、図１３の風量設定テーブルの例では、用紙Ｐの紙種が上質紙、普通紙、書籍用紙、ラフ紙の場合で、坪量が小さい場合は、機械動作開始から停止まで、風量を弱として風Ｗを吹き続ける。
【０１１２】
すなわち、図１４のステップＳＡ４で、制御部１０３は、図４（Ｂ）に示すように、第１のシャッタ駆動部３１ｂを駆動して第１のシャッタ３１ａを開位置とする。図１４のステップＳＡ５で、所定枚数の用紙Ｐの印刷が終了し機械動作を終了すると判断すると、図１４のステップＳＡ６で、図４（Ａ）に示すように、第１のシャッタ駆動部３１ｂを駆動して第１のシャッタ３１ａを閉位置とする。
【０１１３】
これにより、第１の風量調節モード（１）が選択されると、機械動作開始から停止するまでの間、風量を弱とした風Ｗが常時吹き出され、主走査方向位置検知センサ５ｂでの用紙Ｐの端部位置の検知タイミングで、用紙Ｐがガイド部材２１に弱い力で押し付けられるとともに、搬送中の用紙Ｐがガイド部材２１に常時弱い力で押し付けられる。
【０１１４】
そして、図１４のステップＳＡ７で、印刷動作による画像形成装置１の機械動作を終了すると、送風機構３のファンモータ１０２の駆動を停止して、印刷動作を終了する。
【０１１５】
用紙Ｐの紙種及び坪量の区分から、第２の風量調節モードが選択される場合、図１３の風量設定テーブルの例では、用紙Ｐの紙種が上質紙、普通紙、書籍用紙、ラフ紙の場合で、坪量が大きい場合は、機械動作開始から停止まで、風量を強として風Ｗを吹き続ける。
【０１１６】
すなわち、図１４のステップＳＡ８で、制御部１０３は、図４（Ｃ）に示すように、第１のシャッタ駆動部３１ｂを駆動して第１のシャッタ３１ａを開位置とすると共に、第２のシャッタ駆動部３１ｄを駆動して第２のシャッタ３１ｃを開位置とする。図１４のステップＳＡ９で、所定枚数の用紙Ｐの印刷が終了し機械動作を終了すると判断すると、図１４のステップＳＡ１０で、図４（Ａ）に示すように、第１のシャッタ駆動部３１ｂを駆動して第１のシャッタ３１ａを閉位置とすると共に、第２のシャッタ駆動部３１ｄを駆動して第２のシャッタ３１ｃを閉位置とする。
【０１１７】
これにより、第２の風量調節モード（２）が選択されると、機械動作開始から停止するまでの間、風量を強とした風Ｗが常時吹き出され、主走査方向位置検知センサ５ｂでの用紙Ｐの端部位置の検知タイミングで、用紙Ｐがガイド部材２１に強い力で押し付けられるとともに、搬送中の用紙Ｐがガイド部材２１に常時強い力で押し付けられる。
【０１１８】
そして、図１４のステップＳＡ７で、印刷動作による画像形成装置１の機械動作を終了すると、送風機構３のファンモータ１０２の駆動を停止して、印刷動作を終了する。
【０１１９】
用紙Ｐの紙種及び坪量の区分から、第３の風量調節モードが選択される場合、図１３の風量設定テーブルの例では、用紙Ｐの紙種が塗工紙の場合で、坪量が小さい場合は、機械動作開始では送風せず、端部検知のタイミングで風量を弱として風Ｗを吹き出す。
【０１２０】
すなわち、図１４のステップＳＡ１１で、制御部１０３は、用紙Ｐが所定位置まで搬送されてレジストローラ２０を起動すると、図４（Ｂ）に示すように、第１のシャッタ駆動部３１ｂを駆動して第１のシャッタ３１ａを開位置とする。
【０１２１】
レジストローラ２０が起動するタイミングでは、用紙Ｐの先端は先端検知センサ５ａに未だ到達しておらず、主走査方向位置検知センサ５ｂでの用紙Ｐの端部位置の検知タイミングになっていない。これにより、用紙Ｐの端部位置の検知タイミングとなる前から、風量を弱として風Ｗが吹き出される。
【０１２２】
レジストローラ２０が起動して用紙Ｐが搬送されると、用紙Ｐの先端が先端検知センサ５ａに到達して、主走査方向位置検知センサ５ｂでの用紙Ｐの端部位置の検知タイミングとなる。そして、図１４のステップＳＡ１２で、レジストローラ２０を起動して所定時間が経過したと判断すると、図１４のステップＳＡ１３で、図４（Ａ）に示すように、第１のシャッタ駆動部３１ｂを駆動して第１のシャッタ３１ａを閉位置とする。これにより、用紙Ｐの端部位置の検知タイミングの終了後に、風Ｗの吹き出しが停止される。
【０１２３】
図１４のステップＳＡ１４で、用紙Ｐがレジストローラ２０を通過して停止したと判断すると、図１４のステップＳＡ１５で、所定枚数の用紙Ｐの印刷が終了し機械動作を終了するか判断する。
【０１２４】
以後、所定枚数の用紙Ｐの印刷が終了するまで、レジストローラ２０の起動と同時に第１のシャッタ３１ａを開位置とし、所定時間後に第１のシャッタ３１ａを閉位置とする制御が行われ、風量を弱とした風Ｗが、用紙Ｐの端部位置の検知タイミング合わせて間欠的に吹き出される。
【０１２５】
これにより、第３の風量調節モード（３）が選択されると、機械動作開始から停止するまでの間で、先端検知センサ５ａに用紙Ｐが来る直前から直後までの間は、風量を弱として風Ｗが吹き出され、主走査方向位置検知センサ５ｂでの用紙Ｐの端部位置の検知タイミングで、用紙Ｐがガイド部材２１に弱い力で押し付けられる。
【０１２６】
そして、図１４のステップＳＡ７で、印刷動作による画像形成装置１の機械動作を終了すると、送風機構３のファンモータ１０２の駆動を停止して、印刷動作を終了する。
【０１２７】
用紙Ｐの紙種及び坪量の区分から、第４の風量調節モードが選択される場合、図１３の風量設定テーブルの例では、用紙Ｐの紙種が塗工紙の場合で、坪量が大きい場合は、機械動作開始では送風せず、端部検知のタイミングで風量を強として風Ｗを吹き出す。
【０１２８】
すなわち、図１４のステップＳＡ１６で、制御部１０３は、用紙Ｐが所定位置まで搬送されてレジストローラ２０を起動すると、図４（Ｃ）に示すように、第１のシャッタ駆動部３１ｂを駆動して第１のシャッタ３１ａを開位置とすると共に、第２のシャッタ駆動部３１ｄを駆動して第２のシャッタ３１ｃを開位置とする。
【０１２９】
レジストローラ２０が起動するタイミングでは、用紙Ｐの先端は先端検知センサ５ａに未だ到達しておらず、主走査方向位置検知センサ５ｂでの用紙Ｐの端部位置の検知タイミングになっていない。これにより、用紙Ｐの端部位置の検知タイミングとなる前から、風量を強として風Ｗが吹き出される。
【０１３０】
レジストローラ２０が起動して用紙Ｐが搬送されると、用紙Ｐの先端が先端検知センサ５ａに到達して、主走査方向位置検知センサ５ｂでの用紙Ｐの端部位置の検知タイミングとなる。そして、図１４のステップＳＡ１７で、レジストローラ２０を起動して所定時間が経過したと判断すると、図１４のステップＳＡ１８で、図４（Ａ）に示すように、第１のシャッタ駆動部３１ｂを駆動して第１のシャッタ３１ａを閉位置とすると共に、第２のシャッタ駆動部３１ｄを駆動して第２のシャッタ３１ｃを閉位置とする。これにより、用紙Ｐの端部位置の検知タイミングの終了後に、風Ｗの吹き出しが停止される。
【０１３１】
図１４のステップＳＡ１９で、用紙Ｐがレジストローラ２０を通過して停止したと判断すると、図１４のステップＳＡ２０で、所定枚数の用紙Ｐの印刷が終了し機械動作を終了するか判断する。
【０１３２】
以後、所定枚数の用紙Ｐの印刷が終了するまで、レジストローラ２０の起動と同時に第１のシャッタ３１ａと第２のシャッタ３１ｃを開位置とし、所定時間後に第１のシャッタ３１ａと第２のシャッタ３１ｃを閉位置とする制御が行われ、風量を強とした風Ｗが、用紙Ｐの端部位置の検知タイミング合わせて間欠的に吹き出される。
【０１３３】
これにより、第４の風量調節モード（４）が選択されると、機械動作開始から停止するまでの間で、先端検知センサ５ａに用紙Ｐが来る直前から直後までの間は、風量を強として風Ｗが吹き出され、主走査方向位置検知センサ５ｂでの用紙Ｐの端部位置の検知タイミングで、用紙Ｐがガイド部材２１に強い力で押し付けられる。
【０１３４】
そして、図１４のステップＳＡ７で、印刷動作による画像形成装置１の機械動作を終了すると、送風機構３のファンモータ１０２の駆動を停止して、印刷動作を終了する。
【０１３５】
用紙Ｐの紙種及び坪量の区分から、第５の風量調節モードが選択される場合、図１３の風量設定テーブルの例では、用紙Ｐの紙種が上質紙、普通紙、書籍用紙、ラフ紙の場合で、坪量が中間の場合は、機械動作開始から停止まで、風量を弱として風Ｗを吹き続け、端部検知のタイミングで風量を強として風Ｗを吹き出す。
【０１３６】
すなわち、図１４のステップＳＡ２１で、制御部１０３は、図４（Ｂ）に示すように、第１のシャッタ駆動部３１ｂを駆動して第１のシャッタ３１ａを開位置とする。
【０１３７】
図１４のステップＳＡ２２で、用紙Ｐが所定位置まで搬送されてレジストローラ２０を起動すると、図４（Ｃ）に示すように、第２のシャッタ駆動部３１ｄを駆動して第２のシャッタ３１ｃを開位置とする。
【０１３８】
レジストローラ２０が起動するタイミングでは、用紙Ｐの先端は先端検知センサ５ａに未だ到達しておらず、主走査方向位置検知センサ５ｂでの用紙Ｐの端部位置の検知タイミングになっていない。これにより、用紙Ｐの端部位置の検知タイミングとなる前から、風量を強として風Ｗが吹き出される。
【０１３９】
レジストローラ２０が起動して用紙Ｐが搬送されると、用紙Ｐの先端が先端検知センサ５ａに到達して、主走査方向位置検知センサ５ｂでの用紙Ｐの端部位置の検知タイミングとなる。そして、図１４のステップＳＡ２３で、レジストローラ２０を起動して所定時間が経過すると、図１４のステップＳＡ２４で、図４（Ｂ）に示すように、第２のシャッタ駆動部３１ｄを駆動して第２のシャッタ３１ｃを閉位置とする。これにより、用紙Ｐの端部位置の検知タイミングの終了後に、風量が弱に切り替えられて、風Ｗが吹き出される。
【０１４０】
図１４のステップＳＡ２５で、用紙Ｐがレジストローラ２０を通過して停止したと判断すると、図１４のステップＳＡ２６で、所定枚数の用紙Ｐの印刷が終了し機械動作を終了か判断する。
【０１４１】
以後、所定枚数の用紙Ｐの印刷が終了するまで、第１のシャッタ３１ａは開位置で保持し、レジストローラ２０の起動と同時に第２のシャッタ３１ｃを開位置とし、所定時間後に第２のシャッタ３１ｃを閉位置とする制御が行われる。すなわち、用紙Ｐの搬送中に、風量を弱とした風Ｗが連続して吹き出されると共に、用紙Ｐの端部位置の検知タイミング合わせて、風量を強とした風Ｗが間欠的に吹き出される。
【０１４２】
これにより、第５の風量調節モード（５）が選択されると、機械動作開始から停止するまでの間、風量を弱とした風Ｗが常時吹き出され、搬送中の用紙Ｐがガイド部材２１に常時弱い力で押し付けられる。また、先端検知センサ５ａに用紙Ｐが来る直前から直後までの間は、風量を強として風Ｗが吹き出され、主走査方向位置検知センサ５ｂでの用紙Ｐの端部位置の検知タイミングでは、用紙Ｐがガイド部材２１に強い力で押し付けられる。
【０１４３】
図１４のステップＳＡ２６で、所定枚数の用紙Ｐの印刷が終了し機械動作を終了すると判断すると、図１４のステップＳＡ２７で、図４（Ａ）に示すように、第１のシャッタ駆動部３１ｂを駆動して第１のシャッタ３１ａを閉位置とする。
【０１４４】
そして、図１４のステップＳＡ７で、印刷動作による画像形成装置１の機械動作を終了すると、送風機構３のファンモータ１０２の駆動を停止して、印刷動作を終了する。
【０１４５】
以上の画像形成装置１の動作で、用紙Ｐの紙種と坪量によって、送風機構３から吹き出される風の強弱と、吹き出しの有無が切り替えられることで、様々な用紙Ｐに対して、端部位置の検知精度が向上し、かつ、良好な給送性能を得ることが可能となる。
【０１４６】
＜本実施の形態の画像形成装置の変形例＞
上述した実施の形態の画像形成装置１では、主走査方向位置検知センサ５ｂに対向して送風機構３を備え、図３等に示す上側のガイド板２１ａに用紙Ｐを押し付ける構成としたが、図３に矢印Ｗ１で示すように、主走査方向位置検知センサ５ｂの側から風を吹き出せるようにして、下側のガイド板２１ｂに用紙Ｐを押し付ける構成としても良い。この場合は、主走査方向位置検知センサ５ｂに対向する位置の送風機構３は不要である。
【０１４７】
また、送風機構３において、風量調節手段は、吹出開口部２１ｃを開閉するシャッタとした。これは、制御時の応答性が良く、風量の切り替えが短時間で行えるためである。一方、風量調節手段は、ファン部３０の回転数を変更して行ってもよいし、ファン部３０の位置を変更して行っても良い。
【０１４８】
また、第１のシャッタ３１ａと風量調節開口部３１ｅを有した第２のシャッタ３１ｃを備えて、各シャッタの全開と全閉で風量を調節できるようにしたが、シャッタを１つとすると共に、駆動源をパルスモータとして、シャッタの開度を任意に調節できるようにしても良い。
【０１４９】
更に、風の強さは強弱の２種類ではなく、分割数を多くしても良いし、風量の切り替えは、紙種と坪量だけでなく、用紙サイズによる設定を加えても良い。
【産業上の利用可能性】
【０１５０】
本発明は、画像形成位置を用紙の端部位置に応じて決定する画像形成装置に適用される。
【図面の簡単な説明】
【０１５１】
【図１】本実施の形態の画像形成装置の一例を示す内部構成図である。
【図２】本実施の形態の画像形成装置の概要を示す斜視図である。
【図３】本実施の形態の画像形成装置の一例を示す用紙搬送機構の側断面図である。
【図４】本実施の形態の用紙搬送機構の動作例を示すシャッタ部の動作説明図である。
【図５】シャッタ部の開閉と風量の関係を示す説明図である。
【図６】本実施の形態の画像形成装置の効果例を示す説明図である。
【図７】本実施の形態の画像形成装置の制御機能の一例を示すブロック図である。
【図８】本実施の形態の画像形成装置における風量切り替えの動作タイミングチャートである。
【図９】本実施の形態の画像形成装置における風量切り替えの動作タイミングチャートである。
【図１０】本実施の形態の画像形成装置における風量切り替えの動作タイミングチャートである。
【図１１】本実施の形態の画像形成装置における風量切り替えの動作タイミングチャートである。
【図１２】本実施の形態の画像形成装置における風量切り替えの動作タイミングチャートである。
【図１３】紙種と坪量による風量設定例を示す風量設定テーブルの説明図である。
【図１４】本実施の形態の画像形成装置の動作例を示すフローチャートである。
【図１５】画像形成装置の概要を示す平面図である。
【図１６】従来の課題を示す説明図である。
【符号の説明】
【０１５２】
１・・・画像形成装置、２・・・用紙搬送機構、２１・・・ガイド部材、２１ａ，２１ｂ・・・ガイド板、２１ｃ・・・吹出開口部、３・・・送風機構、３１ａ・・・第１のシャッタ、３１ｃ・・・第２のシャッタ、４・・・画像形成部、５ａ・・・先端検知センサ、５ｂ・・・主走査方向位置検知センサ、１０３・・・制御部
【図１】
0005125772.tif 000002
【図２】
0005125772.tif 000003
【図３】
0005125772.tif 000004
【図４】
0005125772.tif 000005
【図５】
0005125772.tif 000006
【図６】
0005125772.tif 000007
【図７】
0005125772.tif 000008
【図８】
0005125772.tif 000009
【図９】
0005125772.tif 000010
【図１０】
0005125772.tif 000011
【図１１】
0005125772.tif 000012
【図１２】
0005125772.tif 000013
【図１３】
0005125772.tif 000014
【図１４】
0005125772.tif 000015
【図１５】
0005125772.tif 000016
【図１６】
0005125772.tif 000017